(57)【要約】【課題】  ユーザがグループを設定できるデジタル携帯電話システムおよびそのシステムで使用する携帯電話機を提供する。【解決手段】  デジタル携帯電話システムに登録が通知されると、グループのメンバーがユーザと同じまたは隣接する基地局の通信圏内にいるかどうかを決定できる。グループのメンバーがユーザと同じ基地局の通信圏内にいる時、ショートメッセージサービスによりユーザに通知される。また、グループのメンバーがユーザと同じ基地局の通信圏内にいる時、ユーザはそのメンバーの位置情報とユーザとそのメンバーとの間の距離とを登録できる。【選択図】    図２
2005167542.tif 000002
【特許請求の範囲】
【請求項１】
基地局を有するデジタル携帯電話システムであって、
前記デジタル携帯電話システムは、前記デジタル携帯電話システムを登録し前記基地局と交信する、あるグループに属する第１のユーザ端末を有し、
前記第１ユーザ端末は、参加通知機能を前記デジタル携帯電話システムに登録し、
前記デジタル携帯電話システムは、前記グループに属する第２のユーザ端末が前記デジタル携帯電話システムを登録し、前記基地局と交信していることを前記第１ユーザ端末に通知することを特徴とするデジタル携帯電話システム。
【請求項２】
請求項１に記載のデジタル携帯電話システムにおいて、
前記第２ユーザ端末が前記基地局を登録したことが前記第１ユーザ端末に通知される時、前記第２ユーザ端末が無線システムへの切替えを知り、前記無線システムにより交信することを特徴とするデジタル携帯電話システム。
【請求項３】
請求項２に記載のデジタル携帯電話システムにおいて、
前記第１ユーザ端末は、前記デジタル携帯電話システムを登録し、前記基地局と交信する機能を有する携帯電話機を有し、前記携帯電話機は、前記第２ユーザ端末が前記無線システムを登録する時にIDを確認する前記基地局の識別機能を有することを特徴とするデジタル携帯電話システム。
【請求項４】
請求項３に記載のデジタル携帯電話システムにおいて、
前記識別機能は、前記第２ユーザ端末によるパスワードの入力を含むことを特徴とするデジタル携帯電話システム。
【請求項５】
請求項３に記載のデジタル携帯電話システムにおいて、
前記識別機能は、前記第２ユーザ端末の加入者識別モジュールの識別を含むことを特徴とするデジタル携帯電話システム。
【請求項６】
請求項１に記載のデジタル携帯電話システムにおいて、
前記第１ユーザ端末はショートメッセージサービス（SMS）により通知されることを特徴とするデジタル携帯電話システム。
【請求項７】
請求項１に記載のデジタル携帯電話システムにおいて、
前記デジタル携帯電話システムは前記第１ユーザ端末に前記第２ユーザ端末の位置情報を通知することを特徴とするデジタル携帯電話システム。
【請求項８】
請求項７に記載のデジタル携帯電話システムにおいて、
前記第２ユーザ端末の前記登録および位置情報が前記第１ユーザ端末に通知される時、無線システムへの切替えが前記第２ユーザ端末に通知され、前記無線システムおよび前記第２ユーザ端末の位置情報により前記第１ユーザ端末および前記第２ユーザ端末間の交信が供給されることを特徴とするデジタル携帯電話システム。
【請求項９】
請求項８に記載のデジタル携帯電話システムにおいて、
前記第１ユーザ端末は、前記デジタル携帯電話システムを登録し、前記基地局と交信するための携帯電話機を有し、前記携帯電話機は、前記第２ユーザ端末が前記無線システムを登録する時にIDを確認する前記基地局の識別機能を有することを特徴とするデジタル携帯電話システム。
【請求項１０】
請求項９に記載のデジタル携帯電話システムにおいて、
前記携帯電話機は前記第２ユーザ端末の位置情報により前記無線システムの送信出力を調整することを特徴とするデジタル携帯電話システム。
【請求項１１】
請求項１に記載のデジタル携帯電話システムにおいて、
前記デジタル携帯電話システムは、前記第１ユーザ端末が前記参加通知機能を登録する時、前記第１ユーザ端末のグループを登録参加通知機能グループとして設定することを特徴とするデジタル携帯電話システム。
【請求項１２】
請求項１に記載のデジタル携帯電話システムにおいて、
前記デジタル携帯電話システムは、前記第１ユーザ端末が前記参加通知機能を登録する時、前記グループの前記参加通知機能のパラメータを修正することを特徴とするデジタル携帯電話システム。
【請求項１３】
基地局と、その近くの第２の基地局とを有するデジタル携帯電話システムであって、
前記デジタル携帯電話システムは、前記デジタル携帯電話システムを登録し前記基地局と交信する、あるグループに属する第１のユーザ端末を有し、
前記第１ユーザ端末は、参加通知機能を前記デジタル携帯電話システムに登録し、
前記デジタル携帯電話システムは、前記グループに属する第２のユーザ端末が前記デジタル携帯電話システムを登録し前記基地局と交信していることを前記第１ユーザ端末に通知することを特徴とするデジタル携帯電話システム。
【請求項１４】
請求項１３に記載のデジタル携帯電話システムにおいて、
前記第２ユーザ端末が前記第１基地局の近くの前記第２基地局を登録したことが前記第１ユーザ端末に通知される時、前記第２ユーザ端末は無線システムへの切替えを知り、前記無線システムにより交信することを特徴とするデジタル携帯電話システム。
【請求項１５】
請求項１４に記載のデジタル携帯電話システムにおいて、
前記第１ユーザ端末は、前記デジタル携帯電話システムを登録し、前記第１基地局と交信するための携帯電話機を有し、前記携帯電話機は、前記第２ユーザ端末が前記無線システムを登録する時にIDを確認する前記第１基地局の識別機能を有することを特徴とするデジタル携帯電話システム。
【請求項１６】
請求項１５に記載のデジタル携帯電話システムにおいて、
前記識別機能は、前記第２ユーザ端末によるパスワードの入力を含むことを特徴とするデジタル携帯電話システム。
【請求項１７】
請求項１５に記載のデジタル携帯電話システムにおいて、
前記識別機能は、前記第２ユーザ端末の加入者識別モジュールの識別を含むことを特徴とするデジタル携帯電話システム。
【請求項１８】
請求項１３に記載のデジタル携帯電話システムにおいて、
前記第１ユーザ端末はショートメッセージサービス（SMS）により通知されることを特徴とするデジタル携帯電話システム。
【請求項１９】
請求項１３に記載のデジタル携帯電話システムにおいて、
前記デジタル携帯電話システムは前記第１ユーザ端末に前記第２ユーザ端末の位置情報を通知することを特徴とするデジタル携帯電話システム。
【請求項２０】
請求項１９に記載のデジタル携帯電話システムにおいて、
前記第２ユーザ端末の前記登録および位置情報が前記第１ユーザ端末に通知される時、無線システムへの切替えが前記第２ユーザ端末に通知され、前記無線システムおよび前記第２ユーザ端末の位置情報により前記第１ユーザ端末および前記第２ユーザ端末間の交信が供給されることを特徴とするデジタル携帯電話システム。
【請求項２１】
請求項２０に記載のデジタル携帯電話システムにおいて、
前記第１ユーザ端末は、前記デジタル携帯電話システムを登録し、前記基地局と交信するための携帯電話機を有し、前記携帯電話機は、前記第２ユーザ端末が前記無線システムを登録する時にIDを確認する前記基地局の識別機能を有することを特徴とするデジタル携帯電話システム。
【請求項２２】
請求項２１に記載のデジタル携帯電話システムにおいて、
前記携帯電話機は前記第２ユーザ端末の位置情報により前記無線システムの送信出力を調整することを特徴とするデジタル携帯電話システム。
【請求項２３】
請求項１３に記載のデジタル携帯電話システムにおいて、
前記デジタル携帯電話システムは、前記第１ユーザ端末が前記参加通知機能を登録する時、前記第１ユーザ端末のグループを登録参加通知機能グループとして設定することを特徴とするデジタル携帯電話システム。
【請求項２４】
請求項１３に記載のデジタル携帯電話システムにおいて、
前記デジタル携帯電話システムは、前記第１ユーザ端末が前記参加通知機能を登録する時、前記グループの前記参加通知機能のパラメータを修正することを特徴とするデジタル携帯電話システム。
【請求項２５】
基地局を有するデジタル携帯電話システムの参加通知機能を登録するよう構成された携帯電話機であって、
前記携帯電話機は、前記デジタル携帯電話システムを登録し前記基地局と交信する機能を有し、前記携帯電話機の第１のユーザ端末はあるグループに属し、前記携帯電話機が前記デジタル携帯電話システムの参加通知機能を登録したことが前記携帯電話機に通知され、前記グループに属する第２のユーザ端末は、前記デジタル携帯電話システムを登録し、前記基地局と交信することを特徴とする携帯電話機。
【請求項２６】
請求項２５に記載のデジタル携帯電話機において、
前記第２ユーザ端末が前記基地局を登録したことが前記第１ユーザ端末に通知される時、前記第２ユーザ端末は無線システムへの切替えを知り、前記第２ユーザ端末の別の携帯電話機により前記携帯電話機と交信することを特徴とする携帯電話機。
【請求項２７】
請求項２６に記載の携帯電話機において、
前記携帯電話機は、前記第２ユーザ端末が前記無線システムを登録する時にIDを確認する前記基地局の識別機能を有することを特徴とする携帯電話機。
【請求項２８】
請求項２７に記載の携帯電話機において、
前記識別機能は、前記第２ユーザ端末によるパスワード入力を含むことを特徴とする携帯電話機。
【請求項２９】
請求項２７に記載の携帯電話機において、
前記識別機能は、前記第２ユーザ端末の加入者識別モジュールの識別を含むことを特徴とする携帯電話機。
【請求項３０】
請求項２５に記載の携帯電話機において、
前記携帯電話機は、ショートメッセージサービス（SMS）により通知されることを特徴とする携帯電話機。
【請求項３１】
請求項２５に記載の携帯電話機において、
前記デジタル携帯電話システムは前記第１ユーザ端末に前記第２ユーザ端末の位置情報を通知することを特徴とする携帯電話機。
【請求項３２】
請求項３１に記載の携帯電話機において、
前記第２ユーザ端末の前記登録および位置情報が前記携帯電話機に通知される時、無線システムへの切替えが前記第２ユーザ端末に通知され、前記無線システムおよび前記第２ユーザ端末の位置情報が前記第２ユーザ端末の別の携帯電話機との交信を供給することを特徴とする携帯電話機。
【請求項３３】
請求項３２に記載の携帯電話機において、
前記携帯電話機は、前記第２ユーザ端末が前記無線システムを登録する時にIDを確認する前記基地局の識別機能を有することを特徴とする携帯電話機。
【請求項３４】
請求項３３に記載の携帯電話機において、
前記識別機能は、前記第２ユーザ端末によるパスワード入力を含むことを特徴とする携帯電話機。
【請求項３５】
請求項３３に記載の携帯電話機において、
前記識別機能は、前記第２ユーザ端末の加入者識別モジュールの識別を含むことを特徴とする携帯電話機。
【請求項３６】
第１および第２の基地局を有するデジタル携帯電話システムの参加通知機能を登録するよう構成された携帯電話機であって、
前記携帯電話機は、前記デジタル携帯電話システムを登録し前記第１基地局と交信する機能を有し、前記携帯電話機の第１のユーザ端末はあるグループに属し、前記携帯電話機が前記デジタル携帯電話システムの参加通知機能を登録したことが前記携帯電話機に通知され、前記グループに属する第２のユーザ端末は、前記デジタル携帯電話システムを登録し、前記第２基地局と交信することを特徴とする携帯電話機。
【請求項３７】
請求項３６に記載の携帯電話機において、
前記第２ユーザ端末が前記第２基地局を登録したことが前記第１ユーザ端末に通知される時、前記第２ユーザ端末は無線システムへの切替えを知り、前記第２ユーザ端末の別の携帯電話機により前記携帯電話機と交信することを特徴とする携帯電話機。
【請求項３８】
請求項３６に記載の携帯電話機において、
前記携帯電話機は、前記第２ユーザ端末が前記無線システムを登録する時にIDを確認する前記基地局の識別機能を有することを特徴とする携帯電話機。
【請求項３９】
請求項３８に記載の携帯電話機において、
前記識別機能は、前記第２ユーザ端末によるパスワード入力を含むことを特徴とする携帯電話機。
【請求項４０】
請求項３８に記載の携帯電話機において、
前記識別機能は、前記第２ユーザ端末の加入者識別モジュールの識別を含むことを特徴とする携帯電話機。
【請求項４１】
請求項３６に記載の携帯電話機において、
前記携帯電話機は、ショートメッセージサービス（SMS）により通知されることを特徴とする携帯電話機。
【請求項４２】
請求項３６に記載の携帯電話機において、
前記デジタル携帯電話システムは前記第１ユーザ端末に前記第２ユーザ端末の位置情報を通知することを特徴とする携帯電話機。
【請求項４３】
請求項４２に記載の携帯電話機において、
前記第２ユーザ端末の前記登録および位置情報が前記携帯電話機に通知される時、無線システムへの切替えが前記第２ユーザ端末に通知され、前記無線システムおよび前記第２ユーザ端末の位置情報が前記第２ユーザ端末の別の携帯電話機との交信を供給することを特徴とする携帯電話機。
【請求項４４】
請求項４３に記載の携帯電話機において、
前記携帯電話機は、前記第２ユーザ端末が前記無線システムを登録する時にIDを確認する前記基地局の識別機能を有することを特徴とする携帯電話機。
【請求項４５】
請求項４４に記載の携帯電話機において、
前記識別機能は、前記第２ユーザ端末によるパスワード入力を含むことを特徴とする携帯電話機。
【請求項４６】
請求項４４に記載の携帯電話機において、
前記識別機能は、前記第２ユーザ端末の加入者識別モジュールの識別を含むことを特徴とする携帯電話機。
【発明の詳細な説明】
【技術分野】
【０００１】
本発明は、デジタル携帯電話システムおよびこれに用いる携帯電話機に係り、特に、グループ通信を有するデジタル携帯電話システムおよびこれに用いる携帯電話機に関する。
【背景技術】
【０００２】
GSMとは、グループスペシャルモービル（Group Special Mobile）が始めたデジタル携帯電話システムである。GSMの主な目的は、欧州におけるローミングである。したがって、ユーザは、特別なシステム設定の変更なしに欧州中で自分の携帯電話機を使用可能である。デジタル処理のため、アナログ携帯電話システムより効率的に周波数帯を使用可能である。GSMは、アナログ携帯電話システムと同様の固定基地局構造を有する。しかし、GSMは処理能力が向上しているので、多数共同会議電話、通話制約、発呼者識別、同時データ伝送などの機能を提供可能である。
【０００３】
GSMは、ユーザ情報のデジタルデータ伝送を提供し、これにインターリービングを適用する。RFのデジタル変調および周波数ホッピングにより、多経路受信の問題を抑えることができる。GSMの周波数帯は、周波数分割多元接続（FDMA）や時分割多元接続（TDMA）により、890乃至915MHzの周波数帯と、935乃至960MHzの周波数帯とに分割できる。情報通信については、GSMは、インターネット、ISDNなどのデータにアクセス可能である。情報サービスについては、ユーザは、電話機によりショートメッセージを、ファクス装置によりファクスメッセージを受信できる。
【０００４】
ショートメッセージサービスについては、GSMはインスタントメッセージ通信構造を有する。この構造は、シンプルなテキストメッセージをユーザ間で送信するサービス、つまりショートメッセージサービス（SMS）を提供する。SMSサーバ（SMSC）は、この機能を果たす。従来から、ショートメッセージの文字は160字に制限され、ユーザ間で送信されている。ユーザがGSMシステムと通信を維持していない場合、SMSCはメッセージをいったん取っておき、ユーザがシステムに接続した時に送信する。
【０００５】
無線通信のほかに、インターネット内で広く使用されているICQもまたデジタル携帯電話システムに適用される。ICQの主な機能は、インターネット上を他のユーザがサーフィンしているかを見分けることである。ICQを使用する各ユーザは、ハードウェアにそのプログラムをインストールする必要がある。他のユーザがインターネット上にいる場合、ユーザ間におけるメッセージ送信またはファイルやデータの交換が可能となる。ICQは電子メールより速く、ユーザはメッセージをすぐに受信できる。しかし、ICQはコンピュータにしか適用されない。
【０００６】
ICQおよび携帯電話機間にいくつかのサービスが提案され、これらのサービスにより、携帯電話機を使用してインターネット上に他のユーザがいるかを確認し、メッセージを送信できる。しかし、これらのサービスは、コンピュータと携帯電話機の間に提供されている。
ユーザがあるグループを設定して、他のユーザがある基地局の同じ通信圏内にいるかを確認することは未だ開示されていない。また、SMSを使用して他のユーザがある基地局の同じ通信圏内にいることをユーザに知らせる機能もまた未だ開示されていない。
【発明の開示】
【発明が解決しようとする課題】
【０００７】
したがって、本発明の目的は、ユーザによりあるグループを設定できるデジタル携帯電話システムおよびそのシステムで使用する携帯電話機を提供することである。登録がデジタル携帯電話システムに通知されると、グループのメンバーを特定でき、そのメンバーがユーザと同じデジタル携帯電話システムを登録したかを判断できる。
本発明の別の目的は、ユーザによりあるグループが設定できるデジタル携帯電話システムおよびそのシステムで使用する携帯電話機を提供することである。グループの１メンバーが基地局の通信圏内にいる時、ショートメッセージサービス（SMS）によりユーザまたは他のメンバーは知ることができる。
【０００８】
本発明の他の目的は、ユーザによりあるグループを設定できるデジタル携帯電話システムおよびそのシステムで使用する携帯電話機を提供することである。ユーザがグループの１メンバーの位置を登録し、そのメンバーが基地局の通信圏内にいる時、そのメンバーの位置を特定でき、ユーザおよびメンバー間の距離を決定できる。ユーザまたは他のメンバーはショートメッセージサービス（SMS）によりその情報を入手できる。
【０００９】
本発明のさらに別の目的は、ユーザによりあるグループを設定できるデジタル携帯電話システムおよびそのシステムで使用する携帯電話機を提供することである。ユーザがグループの１メンバーの位置を登録し、そのメンバーが隣接する基地局の通信圏内にいる時、そのメンバーの位置を特定でき、ユーザおよびメンバー間の距離を決定できる。ユーザまたは他のメンバーはショートメッセージサービス（SMS）によりその情報を入手できる。
【課題を解決するための手段】
【００１０】
以上の目的を達成するために、本発明は、１つの基地局を有するデジタル携帯電話システムおよびそのシステムで使用する携帯電話機を開示する。このデジタル携帯電話システムでは、あるグループに属する第１のユーザ端末が、このデジタル携帯電話システムを登録し、基地局と交信し、参加通知機能をデジタル携帯電話システムに登録し、デジタル携帯電話システムは、グループに属する第２のユーザ端末がそのデジタル携帯電話システムを登録し、基地局と交信していることを第１ユーザ端末に通知する。
【００１１】
本発明のデジタル携帯電話システムでは、第２ユーザ端末が基地局を登録したことが第１ユーザ端末に通知される時、第２ユーザ端末は無線システムへの切替えを知り、この無線システムにより交信する。
本発明のデジタル携帯電話システムは、第１ユーザ端末が参加通知機能を登録する時、第１ユーザ端末のグループを登録参加通知機能グループとして設定する。１つの実施の形態では、デジタル携帯電話システムは、第１ユーザ端末が参加通知機能を登録する時、グループの参加通知機能のパラメータを修正する。
【００１２】
本発明のデジタル携帯電話システムでは、第１ユーザ端末は、そのデジタル携帯電話システムを登録し、基地局と交信するための携帯電話機を有する。携帯電話機は、基地局が有するのと同じ機能、例えば識別機能などを有する。この識別機能は、第２ユーザ端末が無線システムを登録する時にIDを確認する機能を果たす。識別機能は、第２ユーザ端末によるパスワード入力または第２ユーザ端末の加入者識別モジュールの識別を含む。
本発明のデジタル携帯電話システムでは、第１ユーザ端末は、ショートメッセージサービス（SMS）により通知される。１つの実施の形態では、デジタル携帯電話システムは、第１ユーザ端末に第２ユーザ端末の位置情報を通知する。
【００１３】
本発明のデジタル携帯電話システムでは、第２ユーザ端末の登録および位置情報が第１ユーザ端末に通知される時、第２ユーザ端末に無線システムへの切替えが通知され、無線システムおよび第２ユーザ端末の位置情報により、第１および第２ユーザ端末間の交信が供給される。１つの実施の形態では、携帯電話機は、基地局が有するのと同じ機能、例えば識別機能などを有する。識別機能は、第２ユーザ端末による無線システム登録時のID確認の機能を果たす。別の実施の形態では、携帯電話機が、第２ユーザ端末の位置情報により無線システムの送信出力を調整する。
本発明が持つ以上および他の目的、特徴および利点を理解可能にするために、好ましい実施の形態を添付図面を参照しながら以下で詳細に説明する。
【発明を実施するための最良の形態】
【００１４】
本発明のデジタル携帯電話システムの１つの実施の形態では、ユーザがグループを設定できる。登録がデジタル携帯電話システムに通知されると、グループのメンバーを特定でき、そのメンバーがユーザと同じデジタル携帯電話システムを登録したかを判断できる。１つの実施の形態では、グループの１メンバーが基地局の通信圏内にいる時、ユーザまたは他のメンバーはショートメッセージサービス（SMS）により知ることができる。
【００１５】
また、別の実施の形態では、ユーザがグループの１メンバーの位置を登録し、そのメンバーが隣接する基地局の通信圏内にいる時、そのメンバーの位置を特定でき、ユーザおよびメンバー間の距離を決定できる。ユーザまたは別のメンバーは、ショートメッセージサービス（SMS）によりその情報を入手できる。
また、上述のデジタル携帯電話システムで使用される携帯電話機に適合する本発明は、グループのメンバー登録が通知されると、無線システムに切替わり、この無線システムを使用してメンバーと交信する。したがって、基地局の切替え問題は存在しない。１つの実施の形態では、携帯電話機は、基地局と同じ識別機能を有する。識別機能は、第２ユーザが無線システムを登録する時にIDを確認する機能を果たす。識別機能は、第２ユーザによるパスワード入力または第２ユーザの加入者識別モジュールの識別を含む。
【００１６】
１つの実施の形態では、本発明は、他のユーザの位置を決定できる、デジタル携帯電話システムで使用される携帯電話機に適合する。第２ユーザの登録および位置情報が第１ユーザに通知される時、第２ユーザに無線システムへの切替えが通知され、無線システムおよび第２ユーザの位置情報により、第１および第２ユーザ間に交信が供給される。したがって、携帯電話機が、第２ユーザの位置情報により無線システムの送信出力を調整し、無線システムを使用してメンバーと交信する。例えば、距離が遠い場合、高出力のエンハンストモードが適用される。距離が短い場合には、ノーマルモードまたは省電力モードが適用され、少ない消費電力の結果、コストを削減できる。
【００１７】
本発明のデジタル携帯電話システムは、任意の基地局を使用した携帯電話機間の交信に使用可能である。本発明の携帯電話機の動作によれば、あるメンバーがある基地局の通信圏内にいる時、グループのこのメンバーにショートメッセージを送信できる。
基地局の密集度を考慮して、GSM900システムの通信距離は、地形やその上の建築物にもよるが、およそ3乃至50Kmである。GSM1800システムによれば、その通信距離は、地形やその上の建築物にもよるが、およそ1乃至5Kmである。基地局同士の位置があまり近くない時、１つの基地局からメンバーまでの距離がおよそ30乃至40Kmと考えられる。したがって、位置の特定が必要である。また、携帯電話機が基地局としての機能を果たすことができる場合、消費電力を削減するために位置特定および送信出力調整が必要になる。
【００１８】
図１は、GSMシステムに適用されるデジタル携帯電話システムの例を示す概略構造図である。デジタル携帯電話システムのネットワークはユーザ端末103を含む。ユーザ101が、加入者識別モジュール（SIM）102を挿入すると、ユーザ端末103はデジタル携帯電話システムネットワークの１つのポートとなる。端末103は無線システムにより基地局104と交信する。ユーザ端末103は、ユーザ101の装置によって決まる。ホームロケーションレジスタ（HLR）107は、登録およびサービス管理と着呼管理とを制御する。在圏移動交換局（VMSC）106は、ユーザ端末103の登録およびサービス管理と着呼管理とを制御し、在圏ロケーションレジスタ（VLR）を含む。通信用移動体ポートの経路選択機能は、ゲートウェイ移動交換局（GMSC）108およびVMSC106間のHLR107が決定する信号からのローミング番号に依存する。ゲートウェイ移動交換局（GMSC）108およびVMSC106間のHLR107による信号の決定方法は、移動通信応用部（MAP）の信号プロトコルに依存する。注意すべきは、VMSCおよびGMSC間の信号伝送はHLRを経由するが、装置109で終わることである。装置109は、CCITTの電話ユーザ部（TUP）およびISDNユーザ部（ISUP）から構成される。変換後、携帯電話機のゲートウェイと市外電話機との相互通信が可能になる。基地局104は、アクセスノードである基地局制御装置（BSC）105により制御される。
【００１９】
図２は、本発明のデジタル携帯電話システムの例を示す概略構造図である。図４は、図２に示す例示的な本発明のデジタル携帯電話システムのオペレーショナルフローを示す図である。このシステムは、ユーザ端末212、SIM214、ユーザ216、BS210、およびBSC220を含む。BSC220は、図１に示すデジタル携帯電話システムのネットワーク230と通信する。
【００２０】
ユーザ216がSIM214を挿入すると、ユーザ端末212はデジタル携帯電話システムの１つの通信ポートになり、BS210と通信を維持する（図４のステップ410）。ユーザ端末212は、ユーザ216の装置すなわち携帯電話機によって決まる。ユーザ216は、１つのグループに属している。ユーザ216は参加通知機能をデジタル携帯電話システムに登録し、グループに属するあるメンバーがデジタル携帯電話システムを登録し、BS210と交信しているかを判断する（ステップ420）。
【００２１】
次に、デジタル携帯電話システムは、ユーザ216が参加通知機能を登録する時、登録参加通知機能の１グループとしてユーザ216のグループを設定する（ステップ430）。１つの実施の形態では、デジタル携帯電話システムは、グループの参加通知機能のパラメータなどのパラメータを修正する。これはシステムの設計によって決まる。
【００２２】
別のユーザ215がSIM213を挿入すると、ユーザ端末211はデジタル携帯電話システムの１つの通信ポートになり、BS210と交信する。図４のステップ440に示すように、ユーザ216は、ユーザ215が基地局の通信圏内にいることを知る。ユーザ215が基地局を登録したことをユーザ216が知ると、ユーザ215は無線システムに切替わったことを知り、この無線システムにより交信する。したがって、基地局の切替え問題は存在しない。１つの実施の形態では、ユーザ216の携帯電話機は、基地局が有するのと同じ識別機能を有する。この識別機能は、ユーザ215が無線システムを登録する時にIDを確認する働きをする。識別機能は、第２ユーザによるパスワード入力または第２ユーザの加入者識別モジュールの識別を含む。
【００２３】
図３は、本発明のデジタル携帯電話システムの別の例を示す概略構造図である。このシステムは、ユーザ端末312、BS1 310、BSC320、およびBS1 310に隣接するBS2 330を含む。BSC320は、図１に示すデジタル携帯電話システムのネットワーク340と通信する。
ユーザ端末312はデジタル携帯電話システムの１つの通信ポートになり、BS1 310と交信する（図４のステップ410）。ユーザ端末312に対応するユーザは、１つのグループに属している。ユーザは参加通知機能をデジタル携帯電話システムに登録し、グループに属するあるメンバーがデジタル携帯電話システムを登録し、BS1 310およびBS2 330と交信しているかを判断する（ステップ420）。
【００２４】
次に、デジタル携帯電話システムは、ユーザが参加通知機能を登録する時、登録参加通知機能の１グループとしてユーザのグループを設定する（ステップ430）。１つの実施の形態では、デジタル携帯電話システムは、グループの参加通知機能のパラメータなどのパラメータを修正する。これはシステムの設計によって決まる。
【００２５】
別のユーザに対応するユーザ端末332がデジタル携帯電話システムの１つの通信ポートになり、BS2 330と交信する。図４のステップ440に示すように、ユーザは、別のユーザが基地局の通信圏内にいることを知る。ステップ450に示すように、別のユーザが基地局を登録したことをユーザが知ると、別のユーザが無線システムに切替わったことを知り、この無線システムにより交信する。したがって、基地局の切替え問題は存在しない。１つの実施の形態では、ユーザの携帯電話機は、基地局が有するのと同じ識別機能を有する。この識別機能は、別のユーザが無線システムを登録する時にIDを確認する働きをする。識別機能は、第２ユーザによるパスワード入力または第２ユーザの加入者識別モジュールの識別を含む。
【００２６】
図５は、図３に示す例示的な本発明のデジタル携帯電話システムのオペレーショナルフローを示す図である。
ユーザ端末はデジタル携帯電話システムの１つの通信ポートになり、BSと交信する（図５のステップ510）。ユーザ端末に対応するユーザは、１つのグループに属している。ユーザは参加通知機能をデジタル携帯電話システムに登録し、１メンバーの位置情報を要求し、グループに属するそのメンバーがデジタル携帯電話システムを登録し、BSと交信しているかを判断する（ステップ520）。
【００２７】
次に、デジタル携帯電話システムは、ユーザが参加通知機能を登録する時、登録参加通知機能の１グループとしてユーザのグループを設定する（ステップ530）。１つの実施の形態では、デジタル携帯電話システムは、グループの参加通知機能のパラメータなどのパラメータを修正する。これはシステムの設計によって決まる。
【００２８】
別のユーザに対応するユーザ端末がデジタル携帯電話システムの１つの通信ポートになり、BSと交信する。図５のステップ540に示すように、ユーザは、別のユーザが基地局の通信圏内にいることと、別のユーザの位置とを知る。次にユーザは自分と別のユーザとの間の距離を知る。別のユーザが基地局を登録したことをユーザが知ると、別のユーザが通無線システムに切替わったことを知り、この無線システムにより交信する（ステップ550）。したがって、基地局の切替え問題は存在しない。１つの実施の形態では、ユーザの携帯電話機は、基地局が有するのと同じ識別機能を有する。この識別機能は、別のユーザが無線システムを登録する時にIDを確認する働きをする。識別機能は、第２ユーザによるパスワード入力または第２ユーザの加入者識別モジュールの識別を含む。
【００２９】
別の実施の形態では、ユーザが、別のユーザが同じ基地局または隣接する基地局の通信圏内にいることと、別のユーザの位置とを知る時、ユーザまたは他のメンバーはショートメッセージサービス（SMS）によりその情報を入手できる。
【００３０】
１つの実施の形態では、ユーザが第２ユーザの登録および位置情報を知ると、無線システムへの切替えが第２ユーザに通知され、無線システムおよび第２ユーザの位置情報により第１ユーザおよび第２ユーザ間の交信が供給される。したがって、携帯電話機が、第２ユーザの位置情報により無線システムの送信出力を調整し、無線システムを使用してメンバーと交信する。例えば、距離が遠い場合、高出力のエンハンストモードが適用される。距離が短い場合には、ノーマルモードまたは省電力モードが適用され、少ない消費電力の結果、コストを削減できる。
【００３１】
図１を参照して、携帯電話機の位置特定について説明する。ユーザ101が移動している時、ユーザ101の位置はある基地局から別の基地局へ変更される。ユーザの携帯電話機、すなわちユーザ端末103は、この基地局の変更を検知し、この変更をHLR107に知らせ、ユーザの位置を登録する。ユーザ端末103の位置は、固定ではないので、基地局からの報知チャネル（BCCH）信号をスキャンしなければならない。ユーザ端末103はBCCHを検知し、その信号を記録する。３点法により、携帯電話機が検知する最も強い信号を送出する３つの基地局を選択して、位置を特定する。
【００３２】
基地局と携帯電話機との間の距離は、GSMシステムの特性に依存する。時分割多重アクセス（TDMA）技術を採用するGSMシステムを適用する場合、適応フレーム同期（AFA）機能を備える。TDMAフレームは8つのタイムスロットを含むので、TDMAフレームをトンネル内で互いに同期させる。基地局には、TDMAフレームをダウンロードする時、タイミングアドバンス（TA）と呼ばれる３点スロット遅延が存在する。これはAFA機能を果たす。
基地局が信号を受信すると、TAが測定される。実際的および理論的TAを使用して基地局と携帯電話機との間の距離を決定できる。基地局と携帯電話機との間の３つの距離および基地局の位置に基づいて、携帯電話機の位置を決定できる。距離偏差は200乃至300m以内に制御可能である。
【００３３】
以上、本発明を代表的な実施の形態について説明してきたが、これらに限定されない。むしろ、添付の特許請求の範囲は、当業者が本発明の範囲および均等の範囲から逸脱することなくなせる他の変種および実施の形態を含むように広く解釈すべきである。
【図面の簡単な説明】
【００３４】
【図１】GSMシステムに適用されるデジタル携帯電話システムの例を示す概略構造図。
【図２】本発明のデジタル携帯電話システムの例を示す概略構造図。
【図３】本発明のデジタル携帯電話システムの例を示す概略構造図。
【図４】図２に示す例示的な本発明のデジタル携帯電話システムのオペレーショナルフローを示す図。
【図５】図３に示す例示的な本発明のデジタル携帯電話システムのオペレーショナルフローを示す図。
【符号の説明】
【００３５】
210：BS
211：ユーザ端末B
212：ユーザ端末A
213：SIM
214：SIM
215：ユーザB
216：ユーザA
220：BSC
230：デジタル携帯電話システムネットワーク
310：BS1
312：ユーザA
320：BSC
330：BS2
332：ユーザB
340：デジタル携帯電話システムネットワーク
【図１】
2005167542.tif 000003
【図２】
2005167542.tif 000004
【図３】
2005167542.tif 000005
【図４】
2005167542.tif 000006
【図５】
2005167542.tif 000007